(57)【特許請求の範囲】
【請求項１】
プラズマディスプレイパネルに使われる基板に電極を形成することにおいて、
前記電極の逆形状になるように一方向に長く延びて、内面が曲面で形成される電極形成溝が備えられた前記基板の少なくとも一部の領域と対応する形状を有する電極モールドを使用して電極材料を基板に転写させる転写工程と、
前記転写工程で基板に転写された電極材料を乾燥させる乾燥工程と、
前記乾燥工程で乾燥された電極材料を硬化させる焼成工程と、
を含んで構成されることを特徴とするプラズマディスプレイパネルの製造方法。
【請求項２】
前記電極モールドは、前記基板の全体に同時に電極が形成できるように、少なくとも電極形成溝が形成される面が前記基板と対応する面積を有することを特徴とする請求項１記載のプラズマディスプレイパネルの製造方法。
【請求項３】
前記転写工程は、
電極材料供給源にある電極材料を前記電極モールドの電極形成溝に満たす第１工程と、
前記電極モールドの電極形成溝以外の領域にある電極材料を除去する第２工程と、
前記電極モールドの電極形成溝にある電極材料を前記基板に転写させる第３工程と、
を含んで構成されることを特徴とする請求項１記載のプラズマディスプレイパネルの製造方法。
【請求項４】
前記電極モールドは、弾性を有する材質で形成されることを特徴とする請求項３記載のプラズマディスプレイパネルの製造方法。
【請求項５】
前記電極モールドは、ゴムやシリコンのうち、いずれか１つを使用して製造されることを特徴とする請求項４記載のプラズマディスプレイパネルの製造方法。
【請求項６】
前記電極モールドの電極形成溝にある電極材料を基板に転写させるために、前記電極モールドの全体に加圧板を使用して圧力を加えることを特徴とする請求項４記載のプラズマディスプレイパネルの製造方法。
【請求項７】
前記転写工程の第２工程では弾性を有する除去具を前記電極モールドの表面に沿って移動させて電極形成溝以外の領域にある電極材料を除去することを特徴とする請求項３記載のプラズマディスプレイパネルの製造方法。
【請求項８】
平板ディスプレイパネルに使われる基板に電極を形成することにおいて、
前記電極の逆形状になるように一方向に長く延びて内面が曲面で形成される電極形成溝が備えられた前記基板と対応する形状を有する電極モールドを使用して電極材料を基板に転写させる転写工程と、
前記転写工程で基板に転写された電極材料を乾燥させる乾燥工程と、
前記乾燥工程で乾燥された電極材料を硬化させる焼成工程と、
を含んで構成されることを特徴とする平板ディスプレイパネルの製造方法。
【請求項９】
フラットディスプレイパネルに使われる基板に電極ラインを形成することにおいて、
前記電極ラインの逆形状になるように一方向に長く延びて、内面が曲面で形成される電極ライン形成溝が備えられた前記基板の少なくとも一部の領域と対応する形状を有する電極ライン型を使用して電極材料を基板に転写させる転写工程と、
前記転写工程で基板に転写された電極材料を乾燥させる乾燥工程と、
前記乾燥工程で乾燥された電極材料を硬化させる焼成工程と、
を含んで構成されることを特徴とするフラットディスプレイパネルの製造方法。
【発明の詳細な説明】
【技術分野】
【０００１】
本発明は平板ディスプレイパネルに関し、より詳しくは、平平な第１基板と第２基板が合着して構成されて画像を表示する平板ディスプレイパネル及びその製造方法に関する。
【背景技術】
【０００２】
平板ディスプレイパネルには、液晶ディスプレイパネル、プラズマディスプレイパネル（Plasma display panel）などがある。これらの中で、プラズマディスプレイパネルは２つのガラス基板が気密性を有して合着して、その内部の気体放電形状を用いて画像を表示する画像表示装置の１つである。
【０００３】
図１は、従来の平板ディスプレイパネルの要部構成を示すものであって、プラズマディスプレイパネルの背面パネルを例として示している。これによれば、基板１上には電極３が形成される。前記電極３は前記基板１上に所定の厚さと幅を有するように形成される。前記電極３は各々のセルに放電を起こすためのものである。
【０００４】
前記電極３を覆うように前記基板１上にはホワイトバック５が塗布される。前記ホワイトバック５は各々のセルに備えられる蛍光体７から発生して後面方向に向ける可視光を前面方向に反射させる役割をする。
【０００５】
一方、前記基板１の前記電極３を形成することはガラス上に電極ペーストを塗布して、その溶剤などを除去するために乾燥する。乾燥後には電極ペースト上に選択的に露光を遂行する。この際、マスクなどを使用して光が電極ペースト上に選択的に照射されるようにする。
【０００６】
次に、現像工程を遂行する。すなわち、前記露光されて性質が変わった電極ペースト部分または変わらない部分を選択的に除去するものである。このように、電極ペーストに対する選択的除去が遂行されれば電極３の形状が作られる。一般的に露光と現像工程を通じて電極３を形成すれば、その断面形状がほとんど四角形になる。
【０００７】
このように電極３の形状が作られれば、また焼成工程を遂行して電極３を完成する。前記電極３の完成後には前記ホワイトバック５を塗布する。そして、前記ホワイトバック５上には隔壁を形成して、蛍光体７を塗布する。
【０００８】
しかしながら、前記のような従来技術によるプラズマディスプレイパネルでは次のような問題点がある。
【０００９】
まず、前記電極３を形成するためには、ペースト塗布、乾燥、露光、現像及び焼成という５つの工程を経なければならない。したがって、電極３を形成する過程が長くて生産性が落ちる問題点がある。
【００１０】
そして、前記電極３はその上面と両側面がほとんど直交するように形成されていて、前記ホワイトバック５を塗布する過程で前記電極３の端部にカールが発生しながら、図１に示すように、ホワイトバック５の内部に気泡９が形成される問題点がある。このような気泡９はプラズマディスプレイパネルの動作中に高温によりその体積が急激に変わりながらホワイトバック５、隔壁などの亀裂を発生させる問題点がある。
【発明の開示】
【発明が解決しようとする課題】
【００１１】
本発明は、前述した問題点を解決するためのものであって、簡素な工程で電極を形成するようにすることをその目的とする。
【００１２】
本発明の他の目的は、平板ディスプレイパネルの基板に形成された電極を覆う塗布物を塗布することにおいて、気泡が形成されないようにすることを目的とする。
【課題を解決するための手段】
【００１３】
前記の目的を達成するための本発明のプラズマディスプレイパネルは、第１基板の表面に一方向に長く延びるように維持電極が形成され、前記維持電極を覆うように前記第１基板に誘電層が塗布されて構成される前面パネルと、前記前面パネルの維持電極側と対向するように第２基板の表面に前記維持電極と直交する方向にアドレス電極が長く延びて形成され、前記アドレス電極を覆うようにホワイトバックが前記第２基板に塗布され、前記第２基板に突出するように形成された隔壁により区画された放電空間に蛍光体が塗布されて構成され、前記背面パネルの隔壁に前記前面パネルが合着することにより、前記隔壁の間に前記放電空間を形成する背面パネルと、を含んで構成され、前記維持電極とアドレス電極のうち、少なくともいずれか一つは表面が曲面で形成される。
【００１４】
ここで、前記電極の表面を形成する曲面は全体が連続する曲面となる。
【００１５】
前記電極は横断面が所定の曲率半径を有するアーチ形で形成される。
【００１６】
そして、前記隔壁は前記背面パネルの第２基板上に塗布されたホワイトバック上に突出して形成される。
【００１７】
または、前記隔壁は前記背面パネル上に突出して形成され、前記隔壁により区画された内部の前記アドレス電極を覆うようにホワイトバックが第２基板上に塗布される。
【００１８】
本発明の他の特徴によると、本発明は、プラズマディスプレイパネルに使われる基板に電極を形成することにおいて、前記電極の逆形状になるように一方向に長く延びて、内面が曲面で形成される電極形成溝が備えられた前記基板の少なくとも一部の領域と対応する形状を有する電極モールドを使用して電極材料を基板に転写させる転写工程と、前記転写工程で基板に転写された電極材料を乾燥させる乾燥工程と、前記乾燥工程で乾燥された電極材料を硬化させる焼成工程と、を含んで構成される。
【００１９】
前記電極モールドは前記基板の全体に同時に電極が形成できるように、少なくとも電極形成溝が形成される面が前記基板と対応する面積を有する。
【００２０】
前記転写工程は、電極材料供給源にある電極材料を前記電極モールドの電極形成溝に満たす第１工程と、前記電極モールドの電極形成溝以外の領域にある電極材料を除去する第２工程と、前記電極モールドの電極形成溝にある電極材料を前記基板に転写させる第３工程と、を含んで構成される。
【００２１】
前記電極モールドは弾性を有する材質で形成されるが、好ましくは、前記電極モールドはゴムやシリコンのうち、いずれか１つを使用して製造される。
【００２２】
そして、前記電極モールドの電極形成溝にある電極材料を基板に転写させるために前記電極モールドの全体に加圧板を使用して圧力を加える。
【００２３】
前記転写工程の第２工程では弾性を有する除去具を前記電極モールドの表面に沿って移動させて電極形成溝以外の領域にある電極材料を除去する。
【００２４】
本発明の更に他の特徴によると、平板ディスプレイパネルに使われる基板に電極を形成することにおいて、前記電極の逆形状になるように一方向に長く延びて、内面が曲面で形成される電極形成溝が備えられた前記基板と対応する形状を有する電極モールドを使用して電極材料を基板に転写させる転写工程と、前記転写工程で基板に転写された電極材料を乾燥させる乾燥工程と、前記乾燥工程で乾燥された電極材料を硬化させる焼成工程と、を含んで構成される。
【００２５】
本発明の他の特徴によると、本発明は、少なくとも一面に絶縁性の基板を有し、前記基板の表面に一方向に長く延びるように電極ラインが形成され、前記電極ラインを覆うように前記基板に誘電層が塗布されて構成されるパネルを含んで構成され、前記電極ラインは表面が曲面で形成される。
【００２６】
前記電極ラインの表面を形成する曲面は全体が連続する曲面からなる。
【００２７】
前記電極ラインは、横断面が所定の曲率半径を有するアーチ形で形成される。
【００２８】
本発明の他の特徴によると、本発明は、フラットディスプレイパネルに使われる基板に電極ラインを形成することにおいて、前記電極ラインの逆形状になるように一方向に長く延びて、内面が曲面で形成される電極ライン形成溝が備えられた前記基板の少なくとも一部の領域と対応する形状を有する電極ライン型を使用して電極材料を基板に転写させる転写工程と、前記転写工程で基板に転写された電極材料を乾燥させる乾燥工程と、前記乾燥工程で乾燥された電極材料を硬化させる焼成工程を含んで構成される。
【００２９】
本発明の他の特徴によると、本発明は、第１基板と、前記第１基板の表面に一方向に長く延びる維持電極と、前記維持電極を覆うように前記第１基板の表面に形成される誘電層と、第２基板と、前記第２基板の表面に前記維持電極と直交する方向に長く延びるアドレス電極と、前記アドレス電極を覆うように前記第２基板上に塗布されるホワイトバックと、前記アドレス電極が中間に位置するように基板上に突出して前記第１基板側と共に放電空間を形成する隔壁を含んで構成され、前記維持電極とアドレス電極のうち、少なくともいずれか１つは表面が曲面で形成される。
【発明の効果】
【００３０】
まず、本発明では電極モールドに電極の逆形状で形成された電極形成溝に電極材料を付けた後に、これを基板に転写させて硬化させ、電極を形成する。したがって、基板に電極を形成する過程が非常に簡素になる。
【００３１】
特に、本発明では基板の必要な部分のみに電極材料を転写させるので、基板に塗布されてから除去される電極材料がないので、電極材料の使用量が最小化する。したがって、本発明によれば、平板ディスプレイパネルの製造コストが大きく低減できる効果がある。
【００３２】
そして、本発明では電極の表面が曲率を有する曲面で形成される。したがって、電極を覆うように基板上に塗布物を塗布する過程で電極の周辺に気泡が発生しなくなって、平板ディスプレイパネルの品質が高まる効果もある。
【００３３】
本発明の好ましい実施形態は次の図面を参照してより詳細に説明され、これによって、本発明の特徴及び長所もより明確になる。
【発明を実施するための最良の形態】
【００３４】
以下、前述した本発明の平板ディスプレイパネル及びその製造方法の実施形態を添付した図２乃至図５を参考しつつより具体的に説明する。説明の便宜のために、図２には３電極面放電型プラズマディスプレイパネルの構成を示している。
【００３５】
これによれば、前面パネル１０と背面パネル２０が真空合着してプラズマディスプレイパネルが作られるが、前記前面パネル１０側には基板（substrate）１１上に維持放電のための複数の維持電極１３、放電電流を制限する誘電層１４及び前記誘電層１４を保護するための保護層１５が順次に形成されている。維持電極１３は、例えば、隣接する維持電極１３同士で維持電極対を成す。
【００３６】
背面パネル２０の骨格を形成する基板２１は所定面積を有する板状である。前記基板２１には、一般的にガラスが使われる。前記基板２１上にはアドレス電極２２が一方向（例えば、維持電極１３と略直交する方向）に長く多数個が形成される。前記アドレス電極２２は前面パネル１０の維持電極１３との間にアドレス放電を起こすためのものである。
【００３７】
前記アドレス電極２２は、図３の断面図から分かるように、横断面が略所定の曲率半径を有するアーチ形で形成される。すなわち、その表面が一定の曲率を有する曲面で連続的に形成される。前記アドレス電極２２の表面は全体が必ず一定の曲率を有する必要はないが、表面が一定の曲率を有するようにすることがアドレス電極２２の形成作業時に最も便利である。
【００３８】
前記アドレス電極２２を覆うように前記背面パネル２０上にはホワイトバック２４が塗布される。前記ホワイトバック２４は下記に説明される蛍光体２８から発生して後面方向に向ける可視光を前面方向に反射させる役割をする。
【００３９】
前記ホワイトバック２４上には隔壁２６が一定間隔を置いて形成される。前記隔壁２６は前記アドレス電極２２の間に該当する前記ホワイトバック２４上に形成される。前記隔壁２６は前記ホワイトバック２４の上面と共に所定の放電空間を形成する。もちろん、前記隔壁２６が前記ホワイトバック２４を塗布する前に前記基板２１に形成されることができる。この場合、隔壁２６の形成後にホワイトバック２４を隔壁２６により区画された空間の基板２１上に塗布する。
【００４０】
前記隔壁２６の側面とホワイトバック２４の上面には蛍光体２８が塗布される。前記蛍光体２８は、各々、赤色、緑色、青色を表現するＲ、Ｇ、Ｂの蛍光体が隔壁２６により区画された空間に交互に塗布される。
【００４１】
このような構成のプラズマディスプレイパネルでは、最初に任意の放電セル内にある維持電極１３とアドレス電極２２に１５０Ｖ〜３００Ｖの放電開始電圧が供給されれば、該当放電空間の内部面に壁電荷が形成され、その後、維持電極１３とアドレス電極２２にアドレス放電電圧が供給されれば、維持電極１３とアドレス電極２２との間にアドレス放電が起こることになる。
【００４２】
上記のアドレス放電によりセルの内部で電界が発生して放電ガスの中の微量電子が加速され、加速された電子とガス中の中性粒子が衝突して電子とイオンに電離する。前記電離した電子と中性粒子との又別の衝突などにより中性粒子が徐々に速い速度で電子とイオンに電離して放電ガスがプラズマ状態になると共に、真空紫外線が発生し、該紫外線が蛍光体２８を励起させて可視光を発生させることによって、セルの発光、すなわち画像表示が認識できるようになる。そして、該当維持電極１３に１５０Ｖ以上の維持放電電圧が供給されれば、該当放電セル内の維持電極１３間に維持放電が生じてセルの発光が一定時間間維持される。
【００４３】
ここに、図４を参考にして本発明によるプラズマディスプレイパネルを製造することを説明する。ここでは、説明の便宜のために背面パネルに基づいて説明する。
【００４４】
まず、図４ａには電極モールド３０の横断面が図示されている。前記電極モールド３０の下面には電極、すなわち前記アドレス電極２２の逆形状である電極形成溝３２が形成されている。図面上において、前記電極形成溝３２はアドレス電極２２の長手方向に垂直な方向に切った断面が図示されている。前記電極形成溝３２はその断面から見て、その内面が曲面で形成される。そして、前記電極形成溝３２は各々が互いに平行するように一方向に長く延びて形成される。
【００４５】
前記電極モールド３０は電極２２が形成される基板２１の形状と対応する形状を有することが好ましい。例えば、前記基板２１が正四角形板状であれば、電極モールド３０に少なくとも電極形成溝３２が形成される面が正四角形になればよい。そして、前記電極モールド３０は一つの基板２１の全体面積に電極２２が形成できるように設計されることが好ましい。もちろん、基板２１の面積が非常に広い場合、基板２１をいくつの領域に分けて、各々の領域に順次に電極２２が形成できるように電極モールド３０の大きさを設計することができる。しかしながら、一度に基板２１の全体電極２２が形成できるように電極モールド３０を製作することが良い。
【００４６】
前記電極モールド３０は後の工程で電極材料３６が背面パネル２０の基板２１に良好に転写されるように、ある程度弾性のある材料で形成されることが好ましい。例えば、軟質ゴムやシリコンなどが挙げられる。このように、弾性のある材料で電極モールド３０を形成することは、圧力を加えて電極材料３６を転写させるためである。したがって、電極材料３６の転写が良好であれば、、電極モールド３０を金属や岩石などで形成することができる。
【００４７】
電極材料供給源３４は、前記電極モールド３０の電極形成溝３２に電極材料３６を供給するものである。すなわち、前記電極材料供給源３４には所定量の電極材料３６が溜まっている。
【００４８】
したがって、前記電極モールド３０を図４ｂに示すように、前記電極材料供給源３４の電極材料３６に浸けると、前記電極モールド３０の下面及び電極形成溝３２に電極材料３６が付くことになる。図４ｃには電極材料３６が前記電極モールド３０の下面及び電極形成溝３２に付いている状態が図示されている。
【００４９】
次に、前記電極モールド３０の下面に付いている電極材料３６を除去する。このために、電極モールド３０の下面に除去具３８を密着させた状態で前記電極モールド３０の下面の全体に沿って移動させる（図４ｄ参照）。前記除去具３８は弾性を有する材質で作られることが好ましい。このようにすれば、前記電極モールド３０の電極形成溝３０のみに電極材料３６が残っていることになる。
【００５０】
図４ｅには前記電極モールド３０を基板２１上に当てて圧力を加えて電極材料３６を基板２１上に転写させる過程が図示されている。前記電極モールド３０に等しい圧力を加えるために、加圧板４０を使用して前記電極モールド３０に圧力を加える。前記加圧板４０は、少なくとも前記基板２１の面積と等しいか大きい面積を有する。前記加圧板４０で前記電極モールド３０に圧力を加えながら前記基板２１に当てて押さえれば、前記電極形成溝３２に存在する電極材料３６が前記基板２１に転写される。
【００５１】
前記電極形成溝３２に存在する電極材料３６が前記基板２１上に転写された状態が図４ｆに図示されている。前記基板２１上に電極材料３６が転写された状態で乾燥と焼成工程を遂行して前記電極材料３６を硬化させれば、アドレス電極２２が完成される。ここで、乾燥と焼成工程は一般的なことであるので詳細な説明は省略する。
【００５２】
以下、前記したような構成を有する本発明による平板ディスプレイパネル及びその製造方法の作用を詳細に説明する。
【００５３】
まず、前記アドレス電極２２を形成する過程では、アドレス電極２２の逆形状からなる電極形成溝３２が形成された電極モールド３０を使用して基板２１上に一度に全体アドレス電極２２を転写させて形成する。このように、基板２１上に電極材料３６を電極モールド３０で押して転写させた後には、乾燥工程と焼成工程を通じて電極材料３６を硬化させてアドレス電極２２を完成する。参考に、図５には本発明で電極を形成する過程を要約してブロック図で図示している。
【００５４】
そして、前記アドレス電極２２は、横断面から見て、アーチ形の断面を有する。すなわち、その表面が曲面で形成されるが、より好ましくは、連続的に連結される曲面で形成される。このように、アドレス電極２２の表面が曲面で形成されることにより、以後の工程、すなわち背面パネル２０の場合を例とすれば、ホワイトバック２４を塗布する際、不良発生をなくすことができる。そして、前面パネル１０の場合、維持電極１３を表面が曲面になるように形成すれば、誘電層１４の塗布時に不良の発生をなくすことができる。
【００５５】
前記基板２１上に電極モールド３０を使用してアドレス電極２２を形成する過程は前述した通りである。一旦、アドレス電極２２が形成されてから、前記アドレス電極２２と基板２１の上面にホワイトバック２４を塗布する。
【００５６】
前記ホワイトバック２４を塗布する過程において、前記アドレス電極２２はその表面が曲面で連結されているので、カールが発生せず、特にアドレス電極２２の縁に隣接した部分であってもホワイトバック２４が円滑によく塗布される。その後、隔壁２６を形成する過程と蛍光体２８を塗布する過程を遂行して、背面パネル２０の製作を完了する。
【００５７】
一方、本発明は、平板ディスプレイパネルに関するものであって、図示された実施形態にはプラズマディスプレイパネルを製造する過程を例として説明しているが、液晶ディスプレイパネルの製造にも本発明の方法を適用することができる。
そして、図示された実施形態では、前記アドレス電極３２のみが表面が曲面となっているが、前記維持電極１３も表面が曲面で形成されることができる。設計条件によっては、前記維持電極１３のみが表面が曲面となり、アドレス電極３２は曲面でないこともある。
【図面の簡単な説明】
【００５８】
【図１】一般的なプラズマディスプレイパネルの要部構成を示す断面図である。
【図２】本発明によるプラズマディスプレイパネルの実施形態の構成を示す分解斜視図である。
【図３】本発明の実施形態の要部構成を示す部分断面図である。
【図４ａ】本発明による平板ディスプレイ製造方法の実施形態を順次に示す作業順序図である。
【図４ｂ】本発明による平板ディスプレイ製造方法の実施形態を順次に示す作業順序図である。
【図４ｃ】本発明による平板ディスプレイ製造方法の実施形態を順次に示す作業順序図である。
【図４ｄ】本発明による平板ディスプレイ製造方法の実施形態を順次に示す作業順序図である。
【図４ｅ】本発明による平板ディスプレイ製造方法の実施形態を順次に示す作業順序図である。
【図４ｆ】本発明による平板ディスプレイ製造方法の実施形態を順次に示す作業順序図である。
【図５】本発明による電極製造方法を要約して示すブロック図である。
【符号の説明】
【００５９】
１、１１、２１    基板
３    電極
５、２４    ホワイトバック
７、２８    蛍光体
１０    前面パネル
２０    背面パネル
１３    維持電極
１４    誘電層
１５    保護層
２２    アドレス電極
２６    隔壁
３０    電極モールド
３２    電極形成溝
３６    電極材料
３４    電極材料供給源
【図１】
0004514229.tif 000002
【図２】
0004514229.tif 000003
【図３】
0004514229.tif 000004
【図４ａ】
0004514229.tif 000005
【図４ｂ】
0004514229.tif 000006
【図４ｃ】
0004514229.tif 000007
【図４ｄ】
0004514229.tif 000008
【図４ｅ】
0004514229.tif 000009
【図４ｆ】
0004514229.tif 000010
【図５】
0004514229.tif 000011